(57)【要約】      （修正有）【課題】新しい制御局からの同期信号は確実に受信でき、データ通信を継続できる無線通信方式の提供を目的とする。【解決手段】同期信号に同期して通信グループに所属する第一の端末局と同じく通信グループに所属する第二の端末局間でデータ通信を行う手段と、制御局からの同期信号が第一の端末局において受信できない場合、第一の端末局から第二の端末局に対して、通信グループの制御局として動作するよう依頼する第一のコマンドを発信する手段と、第二の端末は第一のコマンドを受信後、通信グループの制御局に対して制御局の交代を依頼する第二のコマンドを発信する手段と、制御局は制御局としての機能を第二の端末に譲渡する手段とを備え、第一の端末局が通信グループの制御局からの同期信号を受信できない場合に、通信グループの制御局を第二の端末局に移管する無線通信方式。【選択図】図１
2006238122.tif 000002
【特許請求の範囲】
【請求項１】
同期信号を出力する制御局と、前記同期信号を受信して前記同期信号に同期してデータ伝通信を行う複数の端末局で構成する通信グループにおける無線通信方式であって、前記同期信号に同期して前記通信グループに所属する第一の端末局と同じく前記通信グループに所属する第二の端末局間でデータ通信を行う手段と、前記制御局からの前記同期信号が前記第一の端末局において受信できない場合、前記第一の端末局から前記第二の端末局に対して、前記通信グループの制御局として動作するよう依頼する第一のコマンドを発信する手段と、前記第二の端末は前記第一のコマンドを受信後、前記通信グループの制御局に対して制御局の交代を依頼する第二のコマンドを発信する手段と、前記第二のコマンドを受信した前記通信グループの制御局は、制御局としての機能を前記第二の端末に譲渡する手段とを備え、
前記第一の端末局が前記通信グループの制御局からの同期信号を受信できない場合に、前記通信グループの制御局を前記第二の端末局に移管することを特徴とする無線通信方式。
【請求項２】
請求項１記載の無線通信方式において、前記第一の端末局と前記第二の端末局がデータ通信中において、前記第一の端末局が前記通信グループの制御局からの同期信号の受信が不可能になった場合、前記通信グループの制御局を第二の端末局に移管することで、データ通信を保持することを特徴とする無線通信方式。
【発明の詳細な説明】
【技術分野】
【０００１】
制御局と端末局で通信グループを形成し、制御局からの同期信号でデータ通信を行う端末局が制御局からの同期信号が受信できない場合に、制御局の移管を行い、通信を保持する無線通信方式に関する。
【背景技術】
【０００２】
制御局と複数の端末局で構成される通信グループにおいて、制御局が同期信号を出力し、その同期信号を受信して端末局間で通信を行う動作を図３、図８を使って説明する。
【０００３】
図３に示した通信グループは次の制御局と端末局で構成される。３０１はこの通信グループの制御局で同期信号３０５−１、３０５−２を出力する。３０２は端末局であり制御局３０１からの同期信号３０５−１を受信して制御局３０１、他の端末局との通信を行う事ができる。端末局３０３も同様に同期信号３０５−２を受信し制御局３０１、端末局３０２と通信を行う事ができる。３０４は外乱であるノイズである。
【０００４】
現在、端末局３０３から端末局３０２へデータ通信を行っている。図８において、８０１、８０２は制御局から送信される同期信号、８０３〜８０５は端末間の通信に使用するｃｈａｎｎｅｌ  ｔｉｍｅ  ａｌｌｏｃａｔｉｏｎ（以下ＣＴＡ）である。このＣＴＡは時分割になっており、各端末局が使う場所を予め制御局により決められている。この従来例ではＣＴＡ＿Ａ８０３は端末３０２から端末３０３へのデータ通信時に使用する。ＣＴＡ＿Ｂ８０４は端末局３０３から端末局３０２へのデータ通信時に使用する。ＣＴＡ＿Ｃ８０５は制御局３０１から端末局３０２へのデータ通信時に使用する。ＣＴＡはこのように設定されている。制御局３０１から端末局３０３へのデータ通信は行われない事が自明であるためそれに使用するＣＴＡは設定されていない。
【０００５】
ＣＴＡ＿Ａ、ＣＴＡ＿Ｂ、ＣＴＡ＿Ｃである８０３−２〜８０５−２は同期信号８０２を受信後に設定されているＣＴＡであり、使用目的、使用する時間は同期信号８０１後と同じである。ＣＴＡの設定を変更しない限り同期信号後のＣＴＡ期間は繰り返される。
【０００６】
端末局３０２から端末局３０３へのデータ通信時間帯は、同期信号８０１を受信後ｔ秒後のＣＴＡ＿Ａの時間であり、そのＣＴＡ＿Ａ８０３の終了後にＣＴＡ＿Ｂ８０４が割り当てられている。このＣＴＡ＿Ｂ８０４の時間内に端末局３０３から端末局３０２へのデータ通信が行われる．
同期信号８０２を受信後も同じ時間間隔でＣＴＡは割り当てられる。
【０００７】
ここで、ＣＴＡ＿Ｂ８０４はストリームデータなどを送信することが出来るＰ−ＣＴＡとして設定されている。このＰ−ＣＴＡの設定をしておけば、同期信号３０５が受信できない状態が発生した場合においてもこれまで受信してきた同期信号と同じ時間に同期信号が受信できると仮定して仮同期信号でデータ通信を継続できる仕様になっている。しかし、この仮同期信号を使ってのデータ通信も極短い時間のみしか使うことは許されず、この極短い一定時間が経過するとデータ通信は中断せざるを得ない。
【０００８】
端末局はこの同期信号を頼りにして端末間、端末局と制御局間のデータ通信を行っているため、端末局３０３から端末局３０２へＣＴＡ＿Ｂ８０４の時間を使ってデータ通信中に端末局３０３が受信している同期信号３０５−２が他の機器のノイズや人間が動いてきたなどの外乱３０４で受信できない状態が続いた場合、極短い時間はデータ通信が確保されるが、一定時間経過後はデータ通信を中断されることになる。
【特許文献１】特開平１１−００８５８５号公報
【発明の開示】
【発明が解決しようとする課題】
【０００９】
しかしながら上記の従来例では、以下のような問題点があった。
【００１０】
端末局間で通信を行っている時に、同期信号を出力する制御局と端末の間に移動してきた物体により、また他の機器からのノイズなどの外乱で同期信号が遮られ同期信号を受信できない場合は通信を中止しなくてはならなかった。
【００１１】
そして外乱などが収まった時に再度制御局と通信可能とするために再度登録を行う必要があり面倒であった。
【００１２】
本発明は、上述の問題点に着目してなされたものであって、制御局から出力される同期信号を受信してデータ通信を行っている通信グループにおいて、データ通信中に外乱などで制御局からの同期信号が受信できない場合に通信相手に同期信号を出力する制御局になってもらい、これにより新しい制御局からの同期信号は確実に受信でき、データ通信を継続できる無線通信方式の提供を目的とする。
【課題を解決するための手段】
【００１３】
上記課題を解決するために本発明の無線通信方式は次の（１）の構成を備える。
【００１４】
（１）同期信号を出力する制御局と、前記同期信号を受信して前記同期信号に同期してデータ伝通信を行う複数の端末局で構成する通信グループにおける無線通信方式であって、前記同期信号に同期して前記通信グループに所属する第一の端末局と同じく前記通信グループに所属する第二の端末局間でデータ通信を行う手段と、前記制御局からの前記同期信号が前記第一の端末局において受信できない場合、前記第一の端末局から前記第二の端末局に対して、前記通信グループの制御局として動作するよう依頼する第一のコマンドを発信する手段と、前記第二の端末は前記第一のコマンドを受信後、前記通信グループの制御局に対して制御局の交代を依頼する第二のコマンドを発信する手段と、前記第二のコマンドを受信した前記通信グループの制御局は、制御局としての機能を前記第二の端末に譲渡する手段とを備え、
前記第一の端末局が前記通信グループの制御局からの同期信号を受信できない場合に、前記通信グループの制御局を前記第二の端末局に移管することを特徴とする無線通信方式。
【発明の効果】
【００１５】
本発明によれば、制御局から出力される同期信号を受信してデータ通信を行っている通信グループにおいて、データ通信中に外乱などで制御局からの同期信号が受信できない場合に通信相手に同期信号を出力する制御局になってもらう。これにより新しい制御局からの同期信号は確実に受信できるのでデータ通信を継続できるという効果がある。
【発明を実施するための最良の形態】
【００１６】
以下に本発明を実施するための最良の形態を、実施例に基づいて説明する。
【実施例】
【００１７】
本発明における実施例を図１、２、４、５、６、７を使用して説明する。構成品の番号が同一であれば同じ構成品を指す。図１は本発明の実施例における構成図である。１０１は図１で示される通信グループの制御局であるプリンタ、１０２は端末局であるビデオカムコーダ（以下ムービー）、１０３は端末局であるテレビ（以下ＴＶ）、１０４は制御局であるプリンタ１０１から送信される同期信号で１０４−１はＴＶ１０３が受信している同期信号、１０４−２はムービー１０２が受信している同期信号である。表記の都合上別々の同期信号に見えるが全く同じタイミングで送信される信号である。１０５は制御局であるプリンタ１０１と接続されているパソコン、１０６はムービー１０２からＴＶ１０３へ通信しているストリームデータである。
【００１８】
これら示された制御局（プリンタ１０１）、ムービー１０２、ＴＶ１０３は同じ通信グループを形成し、制御局（プリンタ１０１）から送信される１０４同期信号を拠所にしてデータ通信を行うことができる。
【００１９】
図２は本発明の実施例において図１の通信グループを構成しているときに外乱が発生して同期信号１０４−２が途絶えた場面の構成図である。２０１は制御局１０１から送出された同期信号１０４−２を端末局ムービー１０２に届くのを妨害する外乱である。図４は本発明の通信グループ間の通信状態を時系列で表現したシーケンスチャートである。図５は制御局が交代し通信が継続している所を示している。図６はこれらの動作をフローチャートで表している。図７はこの通信グループのスーパーフレームを表している。
【００２０】
これより制御局であるプリンタ１０１から出力された同期信号１０４−２が外乱により途絶えた場合に、制御局をプリンタ１０１から端末局であるＴＶ１０３に変更してもらう。次に新しい制御局となったＴＶ１０３から同期信号を出力し、同期信号１０４−２が受信できなくても通信を継続する動作を説明する。
【００２１】
図６のＳ６０１からスタートする。
【００２２】
制御局のプリンタ１０１は通信グループに端末局のムービー１０２およびＴＶ１０３に対して同期信号１０４を出力する。この同期信号１０４は定期的に出力する（Ｓ６０２、４０１）。この同期信号の後には様々な機能を持った期間が構成されている。この内容を図７に示す。同期信号に続いて送信権を競合する競合期間ＣＡＰ、制御コマンド等を通信するＭＣＴＡ期間、そして端末局間、制御局と端末局間のデータ通信を行うＣＴＡ期間が割り当てられている。ＣＴＡは通信する局間が制御局によって決められており、ここではＣＴＡ１がムービー１０２からＴＶ１０３へのデータ通信用に、ＣＴＡ２がＴＶ１０３からプリンタ１０１へのデータ通信用に割り当てられた。その他の端末局間、制御局と端末間はデータ通信が発生しないのでＣＴＡの割り当てはない。
【００２３】
なお、ＣＴＡ１はムービーのデータを通信することが予想されるためストリームデータを通信する仕様として設定されている。
【００２４】
この同期信号１０４を受信したムービー１０２はＣＴＡ１の期間を使ってＴＶ１０３にストリームデータ１０６の送信を開始する（Ｓ６０３、４０２）。この通信は定期的に送信される同期信号の受信した時を基準時間として同期信号１０４後のＣＴＡ１で通信される。
【００２５】
制御局であるプリンタ１０１からの同期信号１０４−２が人間の移動により妨害された、または他の機器が動作開始したためにそのノイズの影響など外乱２０１の影響で受信できなくなってしまった（Ｓ６０４、４０３）。ストリームデータ通信中である場合（Ｓ６０５のＹＥＳ）、この状態が続けばムービー１０２からＴＶ１０３へのデータ通信が中断してしまう。
【００２６】
同期信号１０４−２が途絶えた場合においてもデータ通信中でなければ（Ｓ６０５のＮＯ）同期信号が復活するのを待ち、再び制御局（プリンタ１０１）に通信が可能にするために登録作業を行えばよいだけである（Ｓ６０６）。
【００２７】
同期信号１０４−２が途絶えても、同期信号１０４−２数個分はこれまで受信してきた同期信号の時間を予測し、その時間に仮の同期信号があるとして、その仮の同期信号を基準にしてＣＴＡ１の期間で通信することが出来る（Ｓ６０７、４０４）。この同期信号１０４−２が受信できなくても通信を確保している期間を利用してムービー１０２からＴＶ１０３へ制御局の交代要請コマンドを送信する。このコマンドは別にコマンド用のＣＴＡを予約しておいてその期間に送信しても良いし、同期信号１０４の直後の競合期間ＣＡＰに送っても良い。このコマンドはムービー１０２とＴＶ１０３の間だけで解釈できるコマンド使用し、近年規格化されたＩＥＥＥ８０２．１５．３Ｍａｃであれば、アナウンスコマンドのＶｅｎｄｏｒ  ｓｐｅｃｉｆｉｃ  エリアを使用して送信しても良い（Ｓ６０８、４０５）。
【００２８】
この制御局の交代要請を受けたＴＶ１０３は制御局であるプリンタ１０１に対して制御局の交代を依頼する（Ｓ６０９、４０６）。この依頼するコマンドも上述と同様な手順で行われる。制御局の交代を依頼された現在の制御局であるプリンタ１０１は既述の８０２．１５．３Ｍａｃの制御局の交代手順である正規のハンドオーバ手順を行い、制御局をＴＶ１０３に譲る（Ｓ６１０、４０７）。これにより制御局がプリンタ１０１からＴＶ１０３へ交代した。新しい制御局であるＴＶ１０３は同期信号５０１を出力する（Ｓ６１１、４０８）。制御局がプリンタ１０１からＴＶ１０３に代わった事で外乱ノイズ２０１の影響を受けずにムービー１０２は同期信号５０１を受信することが可能となる。これによりムービー１０２からＴＶ１０３へのデータ通信は継続する事が出来る（Ｓ６１２、４０９）。このときに制御局を譲ったプリンタ１０１は通常の端末局となりこの通信グループに残る。
【図面の簡単な説明】
【００２９】
【図１】本発明の実施例における構成図
【図２】本発明の実施例において図１の通信グループを構成しているときに外乱が発生した場合の構成図
【図３】従来例における構成図
【図４】本発明の通信グループ間の通信状態を時系列で表現したシーケンスチャート
【図５】本発明の実施例における制御局が交代し通信が継続している構成図
【図６】本発明の実施例における動作をフローチャート
【図７】本発明の実施例におけるスーパーフレーム
【図８】従来例を説明する図
【符号の説明】
【００３０】
１０１  プリンタ
１０２  ビデオカムコーダ（ムービー）
１０３  テレビ（ＴＶ）
１０４  同期信号
１０５  パソコン
１０６  ストリームデータ
２０１  外乱
３０１  制御局
３０５−１、３０５−２  同期信号
３０２、３０３  端末局
【図１】
2006238122.tif 000003
【図２】
2006238122.tif 000004
【図３】
2006238122.tif 000005
【図４】
2006238122.tif 000006
【図５】
2006238122.tif 000007
【図６】
2006238122.tif 000008
【図７】
2006238122.tif 000009
【図８】
2006238122.tif 000010